(57)【要約】【課題】従来の出没機構及び操作性を有し、ボールペンレフィルを交換する時に、前軸又は後軸が飛び出すことない、組立性及び交換性のよいノック式筆記具を提供する。【解決手段】前軸と後軸のネジ嵌合を取り外すことにより、前記ボールペンレフィルを交換可能なノック式筆記具であって、前記前軸のネジ嵌合部より軸筒先端側の内壁に、前記コイルスプリングの後端部の外径より内径が小さい突部を形成し、前記コイルスプリングを、軸筒後端側への移動を規制し、圧縮した状態に配設するとともに、前記前軸と後軸をネジ嵌合の開始後、且つ前記前軸と後軸のネジ嵌合の終了前に、前記ボールペンレフィルがコイルスプリングをさらに圧縮し、前記ボールペンレフィルを軸筒後端方向へ付勢する。【選択図】        図１
2005193441.tif 000002
【特許請求の範囲】
【請求項１】
前軸と後軸を着脱自在にネジ嵌合した軸筒内に摺動自在に配設したボールペンレフィルを、前記軸筒の先端部に配設したコイルスプリングにより軸筒後端方向に付勢して配設し、ノック体を押圧することにより、前記ボールペンレフィルの先端部を軸筒先端開口部より出没可能な出没機構を具備し、前記前軸と後軸のネジ嵌合を取り外すことにより、前記ボールペンレフィルを交換可能なノック式筆記具であって、前記前軸のネジ嵌合部より軸筒先端側の内壁に前記コイルスプリングの後端部の外径より内径が小さい突部を形成し、前記コイルスプリングを、軸筒後端側への移動を規制し、圧縮した状態に配設するとともに、前記前軸と後軸をネジ嵌合の開始後、且つ前記前軸と後軸のネジ嵌合の終了前に、前記ボールペンレフィルがコイルスプリングをさらに圧縮し、前記ボールペンレフィルを軸筒後端方向へ付勢することを特徴とするノック式筆記具。
【発明の詳細な説明】
【技術分野】
【０００１】
本発明は、ノック体を押圧することにより、ボールペンレフィルを軸筒先端開口部より出没可能なノック式筆記具に関する。
【背景技術】
【０００２】
従来から、ノック体を押圧することにより、ボールペンレフィルを軸筒先端開口部より出没可能なノック式筆記具はよく知られていて、特開平１１−７８３６１号公報「回転カムによるノック式筆記具」や特開２００３−６３１９２号公報「ノック式ボールペン」にて開示している。また、こうしたノック式筆記具は、口金や前軸等の前軸や頭冠や後軸等の後軸を取り外すことで、軸筒内に配設したボールペンレフィルを交換可能としている。
【０００３】
前記従来のノック式筆記具は、コイルスプリングによってボールペンレフィルを軸筒後端側に付勢させて収納してある。このノック式筆記具におけるコイルスプリングは、軸筒内に自由長の状態で配設し、前軸と後軸をネジ嵌合する時に、ボールペンレフィルによってコイルスプリングを圧縮して付勢力を得ている。
【特許文献１】「特開平１１−７８３６１号公報」
【特許文献２】「特開２００３−６３１９２号公報」
【発明の開示】
【発明が解決しようとする課題】
【０００４】
しかし、従来のノック式筆記具は、コイルスプリングの自由長の状態から、コイルスプリングを圧縮する軸方向への長さが、前軸と後軸のネジ嵌合開始から終了までの軸方向への移動距離よりも長く設定されていたため、ボールペンレフィルを交換するため、前軸又は後軸を取り外す時に、前軸と後軸のネジ嵌合の取り外しが終了しても、前軸又は後軸はコイルスプリングの付勢力を受けており、この状態で前軸又は後軸を軽く持っていたり前軸又は後軸から手を放したりすると、前軸又は後軸が飛び出してしまうという問題があった。
【０００５】
特に、ノック体を押圧し、ボールペンレフィルの先端部の突出するためには、コイルスプリングをさらに圧縮する必要がある。その結果、コイルスプリングを圧縮する軸方向への長さは、ボールペンレフィルの先端部が没入した状態に比べさらに長くなるため、前記したボールペンレフィルの交換時における、前軸又は後軸の飛び出しが発生し易くなってしまう。
【０００６】
こうした問題を鑑み、バネ乗数の高いコイルスプリングを使用し、圧縮する距離を短くしたり、前軸と後軸のネジ嵌合距離を、コイルスプリングの圧縮距離より長くすることも考えられるが、バネ乗数の高いコイルスプリングは、操作荷重が高くなるため、操作性が悪くなってしまったり、ノック衝撃による逆流現象を生じる恐れがあったり、コイル外径が大きく又はコイル内径が小さくなるため、コイルスプリングを配設する部分の形状やボールペンレフィルの形状を変更する必要がある。また前軸と後軸のネジ嵌合距離を長くすると、組立性やボールペンレフィルの交換性が低下してしまう等、新たな問題が生じる。
【０００７】
本発明は上記問題を鑑み、従来の出没機構及び操作性を有し、ボールペンレフィルを交換する時に、前軸又は後軸が飛び出すことない、組立性及び交換性のよいノック式筆記具を提供するものである。
【課題を解決するための手段】
【０００８】
前記目的を達成するために本発明では、前軸と後軸を着脱自在にネジ嵌合した軸筒内に摺動自在に配設したボールペンレフィルを、前記軸筒の先端部に配設したコイルスプリングにより軸筒後端方向に付勢して配設し、ノック体を押圧することにより、前記ボールペンレフィルの先端部を軸筒先端開口部より出没可能な出没機構を具備し、前記前軸と後軸のネジ嵌合を取り外すことにより、前記ボールペンレフィルを交換可能なノック式筆記具であって、前記前軸のネジ嵌合部より軸筒先端側の内壁に、前記コイルスプリングの後端部の外径より内径が小さい突部を形成し、前記コイルスプリングを、軸筒後端側への移動を規制し、圧縮した状態に配設するとともに、前記前軸と後軸をネジ嵌合の開始後、且つ前記前軸と後軸のネジ嵌合の終了前に、前記ボールペンレフィルがコイルスプリングをさらに圧縮し、前記ボールペンレフィルを軸筒後端方向へ付勢する。
【発明の効果】
【０００９】
本発明は、従来の出没機構及び操作性を有し、ボールペンレフィルを交換する時に、前軸又は後軸が飛び出すことない、組立性及び交換性のよいノック式筆記具を提供することができる。
【発明を実施するための最良の形態】
【００１０】
ノック式筆記具において、従来の前軸と後軸のネジ嵌合構造やネジ嵌合距離を変更しないため、組立性及び交換性を損なわずに実現した。
【実施例１】
【００１１】
図１から図８に示すノック式筆記具１は、前軸２に形成した雄ネジ部Ｏと、後軸３に形成した雌ネジ部Ｍをネジ嵌合Ｒした軸筒内にボールペンレフィル８がコイルスプリング１１によって後軸後端３ａ方向に付勢された状態で収納されている。前軸２の先端部には口先部材５をネジ嵌合してある。
【００１２】
ボールペンレフィル８の構造は、従来から知られているもので、インキ収容管９内にボールぺン用インキ（図示せず）を直に収容し、インキ収容管９の先端部には、ボールを回転自在に抱持したボールペンチップ１０を装着してある。また、前軸２にはグリップ部材１２を、後軸３にはクリップ部材１３を一体に形成してある。
【００１３】
ボールペンチップ１０の先端部を口先部材５の先端開口部５ａから出没させる機構は、従来から知られているもので、簡単に説明すると、後軸３の内壁面に回転カム７を前後に摺動案内し回転させるためのカム溝Ｋを形成し、このカム溝Ｋに、回転カム７に形成した突起７ａを係合して配設してある。回転カム７の後端には、前記回転カム７を摺動し回転を付与するためのカム部を先端に有したノック体６を、ノック体６の後端部が後軸後端３ａより外方に突出した状態に配設した構造である。
【００１４】
具体的には、図８に示すように、カム溝Ｋは、軸心方向に長さの異なる複数の溝（谷溝Ｔ、凹み溝Ｍ）が交互に周設され、個々の溝間に形成される山部（Ｔ１、Ｔ２）は傾斜した面になっている。ノック体６を押圧し、回転カム７の突起７ａが山部Ｔ１と山部Ｔ２の段部によって形成された谷溝Ｔ（短い溝）に位置する状態（図８−１）でボールペンチップ１０の先端部は突出し、さらにノック体６を押圧すると突起７ａが山部Ｔ２を越えて回転する。（（図８−２、図８−３）その後、コイルスプリング１１の付勢力によって傾斜面に沿って移動（図８−４）し、凹み溝Ｍ（長い溝）に位置（図８−５）する。この凹み溝Ｍに回転カムの突起７ａが位置する状態でボールペンチップ１０の先端部は没入する。
【００１５】
コイルスプリング１１は、前軸２内に形成したコイルスプリングの後端部の外径より内径が小さい突部４によって、後軸後端３ａ側への移動を規制し、口先部材５の先端部の内壁との間に、圧縮した状態で配設してあり、図４、図５に示すように、前軸２と後軸３のネジ嵌合開始前には、ボールペンレフィル８は、コイルスプリング１１の付勢力を受けていない。前軸２と後軸３のネジ嵌合が進むと、図６、図７に示すように、ボールペンレフィル８は、コイルスプリング１１に当接し、前軸２と後軸３のネジ嵌合終了時には、ボールペンレフィル８によって、コイルスプリング１１を圧縮する。この時、回転カム７の突起７ａが谷溝Ｔ（短い溝）に位置する状態、或いは、回転カムの突起７ａが凹み溝Ｍ（長い溝）に位置する状態で、前軸２と後軸３のネジ嵌合Ｒ開始後に、ボールペンレフィル８が、コイルスプリング１１の圧縮を開始するように、適宜設定することが好ましい。
【００１６】
逆説すると、ボールペンレフィル８の交換時等に、前軸２と後軸３のネジ嵌合Ｒを外す時、図４、図５に示すように、前軸２と後軸３のネジ嵌合の取り外しが終了する前に、コイルスプリング１１は突部４に当接し、ボールペンレフィル８への付勢力が発生しないため、図６、図７に示すように、前軸２及び後軸３を取り外した時に、ボールペンレフィル８が飛び出すことはない。
【００１７】
コイルスプリング４を、前軸２内に形成した突部４と、口先部材５の先端部の内壁との間に、コイルスプリング１１を圧縮した状態で配設することにより、コイルスプリング１１の自由長や取り付け長等に制限されることなく実施可能であるため、従来のコイルスプリング１１と同等のバネ乗数及び圧縮距離で実施可能であり、ノック時の操作性も従来と同等に実施可能である。また、ボールペンレフィルの交換時等、前軸２と後軸３を取り外した時に、コイルスプリング１１が落下して紛失する恐れもない。
【００１８】
尚、本実施例では便宜上、前軸内に突部を一体に形成しているが、前軸に付設してあってもよい。突部の形状も特に限定されるものではなく、周状に形成しても、周状に任意数形成してよい。また、コイルスプリングを、前軸内に形成した突部と、口先部材の先端部の内壁との間に、圧縮した状態で配設してあるが、口先部材と前軸を一体に形成してもよい。
【００１９】
以上、本実施例を詳述したが、本発明は、前記実施例に限定されるものではなく、特許請求の範囲に記載した本発明の要旨の範囲内で種々の変更を行うことができる。
【産業上の利用可能性】
【００２０】
本発明のノック式筆記具は、インキの種類や、ペン先部の材質や形状に限定されることなく適用できる。
【図面の簡単な説明】
【００２１】
【図１】実施例１のノック式筆記具を示す一部省略した要部縦断面図である。
【図２】図１におけるボールペンチップを突出させた状態を示す図である。
【図３】図１における要部拡大図である。
【図４】前軸と後軸のネジ嵌合を開始する前の状態を示す図である。
【図５】図４における要部拡大図である。
【図６】前軸と後軸のネジ嵌合途中の状態を示す図である。
【図７】図６における要部拡大図である。
【図８】出没作動におけるカム溝及び回転カムの突起の係止関係を説明した図である。
【符号の説明】
【００２２】
１  ノック式筆記具
２  前軸
３  後軸
４  突部
６  ノック体
７  回転カム
８  ボールペンレフィル
１０  ボールペンチップ
１１  コイルスプリング
Ｏ  雄ネジ部
Ｍ  雌ネジ部
Ｒ  ネジ嵌合
【図１】
2005193441.tif 000003
【図２】
2005193441.tif 000004
【図３】
2005193441.tif 000005
【図４】
2005193441.tif 000006
【図５】
2005193441.tif 000007
【図６】
2005193441.tif 000008
【図７】
2005193441.tif 000009
【図８】
2005193441.tif 000010